(57)【要約】  【課題】  良好なコントラストを維持しつつ、過大なビーム電流を制限する。  【解決手段】  ビーム電流制御装置２００は、ＡＢＬ回路１０、制御部１２、コントラスト制御回路１４、ブライトネス制御回路１６、Ｇ１電圧切り換え回路１８を備える。検出電圧Ｖａがビーム電流の大きさを指標する値としてＡＢＬ回路１０から制御部１２に出力される。制御部１２は、検出電圧Ｖａがある所定の電圧より大きくなったとき、コントラスト制御回路１４に、映像振幅をビーム電流が正常なときにおける振幅に復帰させるように信号Ｓｂを送ると共に、ブライトネス制御回路１６、Ｇ１電圧切り換え回路１８にそれぞれカソード電極の電位とＧ１電極の電位を所定の電圧だけ上昇するように信号Ｓｃ、Ｓｄを送る。  【選択図】  図１
2005142954.tif 000002
【特許請求の範囲】
【請求項１】
陰極線管装置のビーム電流を制御するビーム電流制御装置であって、
ビーム電流の大きさを指標する値が第１の値以上になると、陰極線管のカソード電位を第１の電圧だけ上昇させるカソード電位変更手段と、
カソード電位の上昇に伴って電子銃の制御電極の電位を第２の電圧だけ上昇させる制御電極電位変更手段と
を備えることを特徴とするビーム電流制御装置。
【請求項２】
前記第１と第２の電圧は、ほぼ等しいことを特徴とする請求項１に記載のビーム電流制御装置。
【請求項３】
映像信号の振幅を調整する振幅調整手段を備え、
前記ビーム電流の大きさを指標する値が第１の値より高い第２の値以上になると、前記カソード電位変更手段および制御電極電位変更手段の動作に代えて、あるいはこれらの動作と共に、前記振幅調整手段により映像信号の振幅を小さくするように制御することを特徴とする請求項１または２に記載のビーム電流制御装置。
【請求項４】
陰極線管装置の駆動回路に請求項１から３のいずれかに記載のビーム電流制御装置を備えたことを特徴とする画像表示装置。
【発明の詳細な説明】
【技術分野】
【０００１】
本発明は、陰極線管装置のビーム電流を制御するビーム電流制御装置および当該ビーム電流制御装置を備えた画像表示装置に関する。
【背景技術】
【０００２】
陰極線管を用いたテレビジョン受像機などの画像表示装置においては、陰極線管のビーム電流が異常に大きく流れることによって、偏向回路などの周辺回路や陰極線管自体の蛍光体スクリーンなどが損傷し、場合によっては基準値を超えるＸ線放射が発生するおそれもある。
このような不都合を避けるため、一般に従来の画像表示装置においては、ビーム電流が過大に流れることを制限する自動ビーム電流制限（Automatic Beam Limiter、以下「ＡＢＬ」という。）装置が設けられている。
【０００３】
この従来のＡＢＬ装置の例として、例えば特許文献１に記載されているＡＢＬ装置を挙げることができる。
図４は、当該従来のＡＢＬ装置の構成を示すブロック図である。
本例では、ＡＢＬ装置は、コントラスト回路１０８とＡＢＬ回路１００から構成され、ＡＢＬ回路１００は、さらにＡＰＬ検出回路１０２、電圧比較回路１０４、演算回路１０５、コントラスト電圧回路１０６とからなる。
【０００４】
コントラスト回路１０８は、入力されたコントラスト制御電圧Ｖｃの大きさに応じて映像信号の振幅を増減させ、ビデオ出力回路１１０に出力する。
一方、ＡＢＬ回路１００は、ＡＰＬ検出回路１０２、電圧比較回路１０４、演算回路１０５およびコントラスト電圧回路１０５などからなる。
ＡＰＬ検出回路１０２は、コントラスト制御回路１０８から出力された映像信号から、その平均輝度（Average Picture Level）を求め、その電圧値を電圧比較回路１０４に出力する。
【０００５】
電圧比較回路１０４は、当該平均輝度の電圧値と基準電圧Ｖrefとを比較する。平均輝度の電圧値が基準電圧Ｖrefより大きい場合には、ビーム電流が過大になっていると考えられるので、演算回路１０５に信号を送り、コントラスト電圧回路１０６から供給される電圧を所定量低下させた上でコントラスト制御回路１０８に出力させる。
これによりコントラスト制御回路１０８における映像信号の増幅の利得が低下し、当該コントラスト制御回路１０８から出力される映像信号の振幅が小さくなる。振幅が小さくなった映像信号は、その輝度が低減されるため、陰極線管に過剰なビーム電流が流れることはない。
【０００６】
図５は、上記ＡＢＬ装置の動作前後において、電子銃における一のカソード電圧の波形と電子銃の制御電極（以下、「Ｇ１電極」という。）の電位との関係を示す模式図であり、(a)はＡＢＬ装置動作前、(b)はＡＢＬ装置動作後の状態を示している。
なお、本図のカソード電圧の波形は、説明の便宜上、画像信号の輝度を最大から最小まで一定の周期で変化させた場合のものが示されており、Ｇ１電極に電位が近付くほど輝度が高くなる。
【０００７】
各図において１２０，１２２はカソード電圧の変化を示す波形であり、Ｗ１、Ｗ２はカソード電位の最大と最小の電位差（以下、「映像振幅」という。）を示す。
また、Ｖｄ１、Ｖｄ２は、それぞれ映像信号が最も明るい輝度（ピーク輝度）となるときのカソード−Ｇ１電極間の電位差（以下、「ピーク時電位差」という。）である。
電子銃の構成上、当該カソード−Ｇ１電極間の電位差が小さくなると電子銃から射出される電子ビームの量が増加し、反対に、当該電位差が大きくなると、電子ビームの量が低減する。
【０００８】
したがって、図５（ａ）のように、映像振幅Ｗ１が増大すると、ピーク時電位差Ｖｄ１が小さくなるので、輝度ピーク時におけるビーム電流が増大する。
上述のようにビーム電流の増大が一定以上になると図４のＡＢＬ装置が動作し、コントラスト回路１０８に入力されるコントラスト制御電圧が低減されて映像振幅が小さくなる（図５（ｂ）参照）。
【０００９】
これによりピーク時電位差がＶｄ２と大きくなるので、ビーム電流が低減され、陰極線管や周辺回路が損傷することなく、またＸ線も異常放射されない。
【特許文献１】特開平９−３１２８５２号公報
【発明の開示】
【発明が解決しようとする課題】
【００１０】
しかしながら、上記従来の制御方法では、映像振幅を小さくすることによってビーム電流を制限しているため、画像の明暗の差が小さくなって、コントラストが劣化するという問題が生じる。
本発明は、上記のような問題点に鑑みてなされたもので、コントラストを劣化させることなしに、陰極線管に過大なビーム電流が発生するのを抑制することができるビーム電流制御装置及び当該ビーム電流制御装置を備えた画像表示装置を提供することを目的とする。
【課題を解決するための手段】
【００１１】
上記目的を達成するために、本発明に係るビーム電流制御装置は、陰極線管装置のビーム電流を制御するビーム電流制御装置であって、ビーム電流の大きさを指標する値が第１の値以上になると、陰極線管のカソード電位を第１の電圧だけ上昇させるカソード電位変更手段と、カソード電位の上昇に伴って電子銃の制御電極の電位を第２の電圧だけ上昇させる制御電極電位変更手段とを備えることを特徴とする。ここで、ビーム電流の大きさを指標する値として、ビーム電流もしくはこれに比例する電流値を抵抗等により電圧に変換した値、または映像信号の輝度信号の電圧値およびそれらの所定時間内の平均値など、およそビーム電流の大きさと一定の相関関係のある値が採用され得る。
【００１２】
また、前記第１と第２の電圧は、ほぼ等しいことを特徴とする。
さらに、本発明は、映像信号の振幅を調整する振幅調整手段を備え、前記ビーム電流の大きさを指標する値が第１の値より高い第２の値以上になると、前記カソード電位変更手段および制御電極電位変更手段の動作に代えて、あるいはこれらの動作と共に、前記振幅調整手段により映像信号の振幅を小さくするように制御することを特徴とする。
【００１３】
また、さらに、本発明に係る画像表示装置は、陰極線管装置の駆動回路に上記ビーム電流制御装置を備えたことを特徴とする。
【発明の効果】
【００１４】
本発明に係るビーム電流制御装置は、陰極線管のビーム電流の大きさを指標する値が第１の値以上になると、カソード電位変更手段と制御電極電位変更手段によりカソード電位を第１の電圧だけ上昇させると共に電子銃の制御電極の電位を第２の電圧だけ上昇させるようにしており、これにより制御電極と加速電極との電位差が小さくなり、電子銃から射出される電子ビームの量が抑制され、陰極線管装置に過大なビーム電流が流れないように制御できる。この際、映像振幅は縮小されないので、コントラストを良好に保つことができる。
【００１５】
また、前記第１と第２の電圧は、ほぼ等しい構成とすれば、コントラストをほとんど低減させることなしに過大なビーム電流の発生を確実に阻止できる。
さらに、映像信号の振幅を調整させる振幅調整手段を備え、前記ビーム電流の大きさを指標する値が第１の値より高い第２の値以上になると、前記カソード電位変更手段および制御電極電位変更手段の動作に代えて、あるいはこれらの動作と共に、前記振幅調整手段により映像信号の振幅を小さくするように制御する構成によれば、陰極線管にさらに過大なビーム電流が流れる場合には、映像振幅を減少させることにより瞬時に過大なビーム電流を減少させることができるため、コントラストの維持に優先させて陰極線管や周辺回路の損傷などを確実に防止することが可能となる。
【００１６】
また、上記ビーム電流制御装置を備えることにより、表示画面のコントラストが劣化することなく過大なビーム電流の発生を確実に防止する画像表示装置を得ることができる。
【発明を実施するための最良の形態】
【００１７】
以下、本発明の実施の形態について図面を用いて詳細に説明する。
図１は、本実施の形態に係るＡＢＬ装置２００を含む画像表示装置１の構成を示す概略図である。
同図に示すように画像表示装置１は、ＡＢＬ装置２００、ビデオ出力回路２０、陰極線管３０およびフライバックトランス４０等からなる。なお、実際には画像表示装置１の構成要素として、陰極線管３０の電子ビームを偏向させるための偏向ヨークや、当該偏向ヨーク内の水平および垂直偏向コイルに偏向電流を供給するための偏向回路なども含まれるが、本発明の趣旨に関係がないため、説明の便宜上、ここでは図示を省略している。
【００１８】
陰極線管３０は、そのネック部に電子銃３１が収納されており、電子銃３１は公知の構成を有し、ＲＧＢの画像信号に対応した３つのカソード３２とこのカソード３２から射出される電子ビームの量を制限する制御電極（Ｇ１電極）３３と電子ビームを加速させるための加速電極（Ｇ２電極）３４などを備える。
ビデオ出力回路２０は、入力されたＲＧＢの画像信号を増幅して陰極線管３０の対応するカソード３２に出力する（カソードドライブ方式）。この際、映像信号の増幅の利得およびカソードのバイアス電圧は、次に述べるＡＢＬ装置２００のコントラスト制御回路１４、ブライトネス制御回路１６から出力される制御信号Ｓａ、Ｓｅにより制御されるようになっている。
【００１９】
ＡＢＬ装置２００は、上記ビデオ出力回路２０を制御して陰極線管３０に過大なビーム電流が流れるのを自動的に制限するためのものであって、ＡＢＬ回路１０、制御部１２、コントラスト制御回路１４、ブライトネス制御回路１６およびＧ１電圧切り換え回路１８からなる。
ＡＢＬ回路１０は、ビーム電流を検出して電圧に変換し、その電圧値（以下、「検出電圧」という。）Ｖａをビーム電流の大きさを指標する値としてコントラスト制御回路１４および制御部１２に出力する。
【００２０】
コントラスト制御回路１４は、上記ＡＢＬ回路１０から入力された検出電圧Ｖａの大きさに応じて映像信号増幅の利得制御用の信号Ｓａをビデオ出力回路２０に出力する。
また、制御部１２は、ビーム電流の増加に伴い検出電圧Ｖａが増大して所定の電圧の範囲内にある場合に、コントラスト制御回路１４、ブライトネス制御回路１６およびＧ１電圧切り換え回路１８に制御信号Ｓｂ、Ｓｃ、Ｓｄを出力するように構成される。
【００２１】
コントラスト制御回路１４は、制御信号Ｓｂを受けて、ビデオ出力回路２０に出力するコントラスト制御信号Ｓａの値を、ビーム電流が通常の範囲である場合における信号値にリセットする。これにより、映像信号の振幅が大きくなり、ＡＢＬ回路１０動作前の映像振幅に回復される。
一方、ブライトネス制御回路１６は、制御部１２から制御信号Ｓｃを受けると、ビデオ出力回路２０にカソードの電位を所定量上昇させるように信号Ｓｅを送る。
【００２２】
Ｇ１電圧切り換え回路１８は、制御部１２から制御信号Ｓｄを受けて、Ｇ１電極３３に印加する電圧を、ビデオ出力回路２０がブライトネス制御回路１６から制御信号Ｓｅを受けて実行するカソード電圧の上昇分とほぼ同じ電圧だけ上昇させる。
次に、上述のＡＢＬ装置２００の動作について図２の波形図を参照しながら具体的に説明する。
【００２３】
図２（ａ）（ｂ）は、それぞれＡＢＬ回路動作前と動作時におけるカソード電圧及びＧ１電圧の波形を表した概念図である。
同図（ａ）（ｂ）において、２２，２４は、カソード電圧の変化を示す波形であり、Ｗ１は、映像振幅、Ｖｄ１は、ピーク輝度時におけるカソード電圧とＧ１電極の電圧（Ｇ１電圧）の電位差（ピーク時電位差）を示す。
【００２４】
図２（ａ）のように映像信号の振幅が大きくなると、ビーム電流も増大し、これに伴って上記ＡＢＬ回路１０における検出電圧Ｖａも変化する。当該検出電圧Ｖａが出力されたコントラスト制御回路１４は、ビデオ出力回路２０に対して映像信号に対する増幅の利得を低下させるように指示する信号Ｓａを送出する。これにより一旦従来のＡＢＬ装置と同様の映像振幅を縮小する方式のビーム電流制御が実行される（図５（ｂ）参照）。なお、以下では、ビーム電流が増大すれば、その検出電圧Ｖａもこれに比例して増大するものとして説明する。
【００２５】
一方、検出電圧Ｖａは、制御部１２にも入力されており、制御部１２は、当該検出電圧Ｖａが所定の電圧以上となったときに、制御信号Ｓｂ，Ｓｃ，Ｓｄをそれぞれコントラスト制御回路１４、ブライトネス制御回路１６、Ｇ１電圧切り換え回路１８に出力する。
これにより、上述したようにコントラスト制御回路１４の作用により映像振幅はビーム電流が過大でない場合の大きさに復帰すると共に、ブライトネス制御回路１６の作用により映像信号のカソード電圧がＶ１上昇し、Ｇ１電圧切り換え回路１８の作用によりＧ１電圧もＶ１だけ上昇する。
【００２６】
この結果、カソード電圧の波形は、点線部から実線部へと映像振幅をＷ１に回復し、Ｇ１電圧との相対関係を維持したまま、全体として電位がＶ１上昇することになる。これにより、カソード−Ｇ１間の電位差は変わらないものの、カソード−Ｇ２間の電位差、Ｇ１−Ｇ２間の電位差が小さくなる。このため、Ｇ２電極がカソード付近の電子を引きつける度合が小さくなり、蛍光面に達する電子の数が減少してビーム電流を減少させることができる。
【００２７】
以下では説明の便宜上、上記のようにカソードとＧ１電極の電位を共に上昇させることによりビーム電流を制御する方式を「カソード電位変更方式」といい、従来のように映像振幅を縮小することによりビーム電流を制御する方式を「映像振幅調整方式」という。
なお、コントラスト制御回路１４により映像振幅を一旦縮小してから、制御部１２から制御信号を受けて再び映像振幅を拡げるまでの時間差は、数十ミリ秒程度なので、観察者に違和感を与えることはない。
【００２８】
また、Ｖ１の値が大きくなり過ぎると、カソードの電位が加速電極の電位に近付き過ぎ、画面全体の輝度が下がり、特に輝度の低い部分の画像（例えば、人の毛髪や黒い烏など）の解像度が劣化するという、いわゆる黒つぶれが生じるおそれがあるので、Ｖ１の大きさは、予め実験などによりそのような不都合が生じないような最適な値に設定される。
しかし、さらに大きなビーム電流が発生して、検出電圧Ｖａが、所定の電圧を超えると、当該過度のビーム電流を確実に抑制するため上記電圧Ｖ１も大きくせざるを得ないが、そうすると上述の通り画面に黒つぶれが生じることになるので、本実施の形態では、この場合には、制御部１２は制御信号Ｓｂ、Ｓｃ、Ｓｄを送信しないように構成している。
【００２９】
これにより、コントラスト制御回路１４には、検出電圧Ｖａのみが入力され、当該Ｖａの大きさに応じて映像振幅が縮小され、従来と同様なビーム電流制御動作が実行される（映像振幅調整方式）。この結果、コントラストは劣化し階調性が悪くなるが、上述のように黒つぶれが生じるよりは、格段に見やすい画面が得られると共に過大なビーム電流の発生を確実に抑制できる。
【００３０】
なお、この場合に、制御部１２から制御信号Ｓｂ、Ｓｃ、Ｓｄを一切送信しないようにするのではなく、Ｓｂのみを送信しないようにしてもよい。そうすると、カソード電位変更方式と映像振幅調整方式の双方のビーム電流抑制動作が実行されるので、映像振幅をそれほど縮小しなくても過大なビーム電流を十分抑制でき、コントラストの劣化を最小限に抑えることができる。
【００３１】
次に、図３におけるＡＢＬ回路１０、制御部１２およびＧ１電圧切り換え回路１８の具体的な回路構成について説明する。
ＡＢＬ回路１０は、所定の＋Ｂ電源が、直列接続された抵抗Ｒ１、Ｒ２を介して接地され、抵抗Ｒ１とＲ２の接続点Ａの電圧がフライバックトランス４０に供給されるように構成される。
【００３２】
ビーム電流の増加に伴い電流Ｉａが増加し、これにより抵抗Ｒ１を流れる総電流も増加するので、抵抗Ｒ１による電圧降下が増大し、接続点Ａの電位が下がる。したがって、このＡ点における電位を検出電圧Ｖａとすることにより、ビーム電流の増減を知ることができる。
制御部１２は、抵抗Ｒ２，Ｒ３、比較器ＣＯＭ１、ＣＯＭ２および論理回路ＥＸＯＲで構成されている。
【００３３】
抵抗Ｒ３、Ｒ４は直列に接続され、ＡＢＬ回路１０の接続点Ａについて抵抗Ｒ２と並列になるようにして接地される。抵抗Ｒ３、Ｒ４の接続点Ｃは、比較器ＣＯＭ１、ＣＯＭ２の入力端子に接続される。
これにより、点Ａにおける検出電圧Ｖａが、抵抗Ｒ３，Ｒ４で分圧され、比較器ＣＯＭ１、ＣＯＭ２での比較に適した電圧範囲内の電圧Ｖｃに変換される。
【００３４】
この電圧Ｖｃは、比較器ＣＯＭ１，ＣＯＭ２で参照電圧Ｖｒｅｆ１，Ｖｒｅｆ２とそれぞれ比較される。上述のように本例ではビーム電流が増加すると、検出電圧Ｖａが低くなるように構成しているので、これに連れて電圧Ｖｃも低くなる。ここで、Ｖｒｅｆ１＞Ｖｒｅｆ２であって、Ｖｒｅｆ１は、ビーム電流が過大となり、回路等を保護するため抑制する必要があるとされるときの電圧Ｖｃの値と同じか、もしくは安全性の観点からそれよりも少し高め（ビーム電流の増加と共に電圧Ｖｃも増加するような回路構成とした場合には、「少し低め」。次のＶｒｅｆ２についても同じ）の適当な値に設定される。また、Ｖｒｅｆ２は、ビーム電流がさらに増大して、カソード電位とＧ１電位の上昇だけでは対処できないとされるときの電圧Ｖｃの値と同じか、もしくはそれよりも少し高めの適当な値に設定される。
【００３５】
また、Ｇ１電圧切り換え回路１８は、制御部１２からＯＮの信号を受けると、半導体素子などからなる公知のスイッチング回路１８１により、Ｇ１電極の接続を接地状態から＋Ｖ１の電源への接続に切換えて、Ｇ１電極の電位をＶ１上昇させる。
次の表１は、上記電圧Ｖｃの大きさによって比較器ＣＯＭ１，ＣＯＭ２、論理回路ＥＸＯＲの出力がどのように変化するかを示す表である。
【００３６】
【表１】
2005142954.tif 000003
【００３７】
同表に示すように、Ｖｃ＞Ｖｒｅｆ１の場合、比較器ＣＯＭ１，ＣＯＭ２の出力は共にＯＮとなるので、論理回路ＥＸＯＲの出力はＯＦＦとなり、制御部１２は信号を出力しない。このため、ビーム電流制御装置が不必要に動作して画面に影響を与えることはない。
そして、ビーム電流の増加に伴って電圧Ｖｃが、Ｖｒｅｆ１≧Ｖｃ＞Ｖｒｅｆ２となった場合は、論理回路ＥＸＯＲの出力がＯＮとなり、その信号（具体的には、例えば＋５Ｖの電圧）がコントラスト制御回路１４、ブライトネス制御回路１６およびＧ１電圧切り換え回路１８に送出され（図１における制御信号Ｓｂ，Ｓｃ、Ｓｄに相当）、上述のように映像振幅を元の状態に復帰させると共に、カソード電位およびＧ１電極の電位を電圧Ｖ１だけ上昇させて、画面の良好なコントラストを維持しつつ、過大なビーム電流の発生を阻止する。
【００３８】
さらに、ビーム電流が増加して、Ｖｒｅｆ２≧Ｖｃとなった場合は、論理回路ＥＸＯＲの出力がＯＦＦとなるため、カソード電位とＧ１電極の電位上昇は行われず、ＡＢＬ回路１０からの検出電圧Ｖａのみに基づいてコントラスト制御回路１４からビデオ出力回路２０に映像振幅縮小信号が出力され、これにより映像振幅が必要な程度縮小されてビーム電流が制限される。
【００３９】
なお、コントラスト制御回路１４の回路構成については、特に図示していないが、例えば、トランジスタを利用した増幅回路とスイッチング回路による簡易な構成によって実現できる。より具体的には、検出電圧Ｖａが、当該増幅回路の利得制御用の電圧として入力され、その出力電圧を映像振幅制御信号Ｓａとしてビデオ出力回路２０に出力するように構成すればよい。この出力電圧をさらにビデオ出力回路２０における映像信号の増幅回路の利得制御用電圧として用いることによりビデオ出力回路２０から出力される映像振幅を容易に制御できる。また、ビーム電流が正常な場合の制御電圧Ｖａ’を用意しておき、制御部１２からＯＮ信号を受けたときには、スイッチング回路によりコントラスト制御回路１４内の増幅回路の利得制御の電圧を上記Ｖａから当該Ｖａ’に切り換えるようにすれば、映像振幅の復帰も容易に達成できる。
【００４０】
また、ブライトネス制御回路１６も簡易なスイッチ回路により実現可能である。例えば、制御部１２からのＯＮ信号の有無により、予め設定されたカソードの基準電位Ｖ０と、これよりも電圧Ｖ１だけ高い電圧を切り換えて、これを信号Ｓｅ（図１）としてビデオ出力回路２０に出力するようにすればよい。そしてビデオ出力回路２０は、この出力電圧に各色の映像信号を増幅した電圧を重畳して対応するカソードに出力することにより上記カソード電位の上昇が実現される。
（変形例）
以上、本発明を実施の形態に基づいて説明したが、本発明の内容が、上記の各実施の形態に示された具体例に限定されないことは勿論であり、例えば以下のような変形例を実施することができる。
【００４１】
（１）上記実施の形態では、カソード電位変更方式のビーム電流制御を実行の際に、カソード電圧及びＧ１電圧を同程度（電圧Ｖ１）上昇させる構成としたが、必ずしも同じでなくても、ビーム電流制御の効果はある程度得られる。
また、上記の実施の形態２では、制御部１２に閾値（参照電圧Ｖｒｅｆ１、Ｖｒｅｆ２）を２つ設けてビーム電流の変化に応答する構成としたが、例えば、閾値を２つより多く設けるなどして、ビーム電流の増加の程度に応じてカソード電圧とＧ１電圧を段階的あるいは連続的に上昇させる構成としても構わない。
【００４２】
（２）図３のＡＢＬ回路１０では、ビーム電流を検出電圧Ｖａに変換して、そのままコントラスト制御回路１４に出力することにより応答速度が速くなるようにしているが、従来の図４のＡＰＬ検出回路１０２で行われているように、例えば、映像の１フレームの時間分の検出電圧Ｖａの平均値を求めて、これをコントラスト制御回路１４に出力するようにしてもよいし、および／または、比較器ＣＯＭ１と同様な比較手段を設けてビーム電流が増加して、検出電圧Ｖａが一定の閾値よりも低くなったときにのみ、コントラスト制御回路１４に対して映像振幅を縮小するように指示する信号を送信するようにしてもよい。このとき比較手段に設定される閾値は、例えば、電圧ＶｃがＶｒｅｆ２と等しくなるときの検出電圧Ｖａの電圧値もしくはそれよりも大きな適当な電圧が設定される。
【００４３】
（３）また、上記実施の形態においては、ビーム電流の大きさを指標するものとして、当該ビーム電流に比例する電圧値を用いたが、これ以外に例えば、映像信号の輝度値そのもの、もしくは輝度値の一定時間内の平均値などであっても構わない。
（４）上記実施の形態では、映像信号の振幅を調整する振幅調整手段としてコントラスト制御回路、カソードの電位を変更するカソード電位変更手段としてブライトネス制御回路をそれぞれ用いたが、これらの公知の制御回路を利用せずに、ＡＢＬ専用の振幅調整手段やカソード電位変更手段を別個に設けるようにしてもよい。
【産業上の利用可能性】
【００４４】
以上のように、本発明に係るビーム電流制御装置は、画面のコントラストを良好に維持しつつ、過大なビーム電流を抑制するものとして極めて有効である。
【図面の簡単な説明】
【００４５】
【図１】本発明の実施の形態に係る画像表示装置の構成を示す概略図である。
【図２】上記ビーム電流制御装置におけるカソード電圧波形およびＧ１電圧波形の概念図であり、(ａ)はビーム電流制御前、(ｂ)はビーム電流制御後の図である。
【図３】図１のＡＢＬ回路、制御部、Ｇ１電圧切り換え回路の回路構成を具体的に示したビーム電流制御装置のブロック図である。
【図４】従来技術におけるビーム電流制限装置の構成を示すブロック図である。
【図５】従来技術のビーム電流制限装置におけるカソード電圧波形およびＧ１電圧波形の概念図であり、(ａ)はビーム電流制限前、(ｂ)はビーム電流制限後の図である。
【符号の説明】
【００４６】
１  画像表示装置
１０  ＡＢＬ回路
１２  制御部
１４  コントラスト制御回路
１６  ブライトネス制御回路
１８  Ｇ１電圧切り換え回路
２０  ビデオ出力回路
３０  陰極線管
３１  電子銃
３２  カソード
３３  制御電極（Ｇ１電極）
３４  加速電極（Ｇ２電極）
２００  ＡＢＬ装置
【図１】
2005142954.tif 000004
【図２】
2005142954.tif 000005
【図３】
2005142954.tif 000006
【図４】
2005142954.tif 000007
【図５】
2005142954.tif 000008